【手続補正書】
【提出日】平成18年10月12日(2006.10.12)
【手続補正１】
【補正対象書類名】明細書
【補正対象項目名】発明の名称
【補正方法】変更
【補正の内容】
【発明の名称】表示装置の駆動方法
【手続補正２】
【補正対象書類名】特許請求の範囲
【補正対象項目名】全文
【補正方法】変更
【補正の内容】
【特許請求の範囲】
【請求項１】
階調制限回路、メモリＲ／Ｗ回路、及び第１の可変分周回路を有するメモリコントローラと、メモリと、ＣＰＵと、信号線駆動回路と、基準クロック発生回路、第２の可変分周回路、クロック発生回路、及び信号線駆動回路用電源制御回路を有するディスプレイコントローラと、を有し、１フレーム期間を構成するｎ（ｎは自然数）個のサブフレーム期間によってｎ階調を表現する第１の表示モードと、１フレーム期間を構成するｍ（ｍはｎより小さな自然数）個のサブフレーム期間によってｍ階調を表現する第２の表示モードを切り換えて表示を行う表示装置の駆動方法であって、
前記メモリコントローラにおいて、
前記ＣＰＵから前記階調制限回路に信号が入力されることによって、前記第１の表示モード又は前記第２の表示モードに応じた信号が、前記階調制限回路から出力され、
前記階調制限回路から出力された信号に応じて、前記メモリＲ／Ｗ回路によって、デジタルビデオ信号を前記メモリに書き込む動作と、またはデジタルビデオ信号を前記メモリから読み出す動作とが選択され、
前記階調制限回路から出力された信号に応じて、前記第１の可変分周回路によって、前記メモリのアドレスを選択する信号の周波数を変化させ、
前記ディスプレイコントローラにおいて、
前記ＣＰＵから出力されたクロック信号が、前記基準クロック発生回路に入力されることによって、前記基準クロック発生回路から基準クロックが出力され、
前記基準クロックが前記第２の可変分周回路に入力され、
前記ＣＰＵから出力された階調コントロール信号に応じて、前記第２の可変分周回路から、周波数を変化させた基準クロックが出力され、
前記ＣＰＵから出力された周期信号が前記クロック発生回路に入力され、
前記周波数を変化させた基準クロックに応じて、前記クロック発生回路から、周波数を変化させたクロックパルスとスタートパルスが前記信号線駆動回路に出力され、
前記階調コントロール信号に応じて、前記信号線駆動回路用電源制御回路によって、前記信号線駆動回路に入力される駆動電圧が制御されることを特徴とする表示装置の駆動方法。
【請求項２】
階調制限回路、メモリＲ／Ｗ回路、及び第１の可変分周回路を有するメモリコントローラと、メモリと、ＣＰＵと、信号線駆動回路と、基準クロック発生回路、第２の可変分周回路、クロック発生回路、及び信号線駆動回路用電源制御回路を有するディスプレイコントローラと、発光素子を有する複数の画素と、を有し、１フレーム期間を構成するｎ（ｎは自然数）個のサブフレーム期間によってｎ階調を表現する第１の表示モードと、１フレーム期間を構成するｍ（ｍはｎより小さな自然数）個のサブフレーム期間によってｍ階調を表現する第２の表示モードを切り換えて表示を行う表示装置の駆動方法であって、
前記メモリコントローラにおいて、
前記ＣＰＵから前記階調制限回路に信号が入力されることによって、前記第１の表示モード又は前記第２の表示モードに応じた信号が、前記階調制限回路から出力され、
前記階調制限回路から出力された信号に応じて、前記メモリＲ／Ｗ回路によって、デジタルビデオ信号を前記メモリに書き込む動作と、またはデジタルビデオ信号を前記メモリから読み出す動作とが選択され、
前記階調制限回路から出力された信号に応じて、前記第１の可変分周回路によって、前記メモリのアドレスを選択する信号の周波数を変化させ、
前記ディスプレイコントローラにおいて、
前記ＣＰＵから出力されたクロック信号が、前記基準クロック発生回路に入力されることによって、前記基準クロック発生回路から基準クロックが出力され、
前記基準クロックが前記第２の可変分周回路に入力され、
前記ＣＰＵから出力された階調コントロール信号に応じて、前記第２の可変分周回路から、周波数を変化させた基準クロックが出力され、
前記ＣＰＵから出力された周期信号が前記クロック発生回路に入力され、
前記周波数を変化させた基準クロックに応じて、前記クロック発生回路から、周波数を変化させたクロックパルスとスタートパルスが前記信号線駆動回路に出力され、
前記階調コントロール信号に応じて、前記信号線駆動回路用電源制御回路によって、前記信号線駆動回路に入力される駆動電圧が制御され、
前記階調コントロール信号に応じて、前記発光素子の対向電極の電位を変化させることを特徴とする表示装置の駆動方法。
【請求項３】
請求項２において、
前記第２の表示モードにおいて前記発光素子に印加される電圧が前記第１の表示モードにおいて前記発光素子に印加される電圧よりも低くなるように、前記発光素子の対向電極の電位を変化させることを特徴とする表示装置の駆動方法。
【請求項４】
請求項１乃至請求項３のいずれか一項において、
前記第２の表示モードにおいて前記信号線駆動回路に入力される駆動電圧は、前記第１の表示モードにおいて前記信号線駆動回路に入力される駆動電圧よりも低いことを特徴とする表示装置の駆動方法。
【請求項５】
請求項１乃至請求項４のいずれか一項において、
前記第２の表示モードにおける前記ディスプレイコントローラを駆動する電圧は、前記第１の表示モードにおける前記ディスプレイコントローラを駆動する電圧よりも低いことを特徴とする表示装置の駆動方法。
【請求項６】
請求項１乃至請求項５のいずれか一項において、
前記第２の表示モードにおいて前記クロック発生回路から前記信号線駆動回路に出力される前記クロックパルスの周波数は、前記第１の表示モードにおいて前記クロック発生回路から前記信号線駆動回路に出力される前記クロックパルスの周波数よりも低く、
前記第２の表示モードにおいて前記クロック発生回路から前記信号線駆動回路に出力される前記スタートパルスの周波数は、前記第１の表示モードにおいて前記クロック発生回路から前記信号線駆動回路に出力される前記スタートパルスの周波数よりも低いことを特徴とする表示装置の駆動方法。
【手続補正３】
【補正対象書類名】明細書
【補正対象項目名】０００２
【補正方法】変更
【補正の内容】
【０００２】
発光素子を画素毎に配置し、それらの発光素子の発光を制御することによって、画像表示を行う表示装置について以下に説明する。
【手続補正４】
【補正対象書類名】明細書
【補正対象項目名】０００３
【補正方法】変更
【補正の内容】
【０００３】
ここで本明細書中では、発光素子は、電界が生じると発光する有機化合物層を陽極及び陰極で挟んだ構造を有する素子（ＯＬＥＤ素子）を示すものとして説明を行うが、これに限定されない。陽極と陰極の間に、電界を印加することで発光する素子であれば自由に用いることができる。
【手続補正５】
【補正対象書類名】明細書
【補正対象項目名】００４２
【補正方法】変更
【補正の内容】
【００４２】
本発明の表示装置では、高階調の表示が可能な第１の表示モードと２階調表示ではあるが低消費電力な第２の表示モードの２つを備え、それぞれを切り換えて使用することができる。第１の表示モードに対して第２の表示モードでは、表示装置が有する信号制御回路のメモリコントローラによって、デジタルビデオ信号の下位ビットの信号の、メモリへの書き込みを無くす。また、メモリからの下位ビットのデジタルビデオ信号の読み出しを無くす。こうして、各駆動回路は、第１の表示モードにおけるデジタル映像信号（第１のデジタル映像信号）に対して、情報量を少なくしたデジタル映像信号（第２のデジタル映像信号）をソース信号線駆動回路に入力する。この動作に対応して、ディスプレイコントローラは、各駆動回路（ソース信号線駆動回路及びゲート信号線駆動回路）に入力するスタートパルス及びクロックパルスの周波数を小さく、駆動電圧を低く変化させる。これらによって、表示に関与する書き込み期間及び表示期間を長く設定することもでき、消費電力を少なくすることができる。
【手続補正６】
【補正対象書類名】明細書
【補正対象項目名】００６２
【補正方法】変更
【補正の内容】
【００６２】
本発明の表示装置では、高階調の表示が可能な第１の表示モードと低階調表示ではあるが低消費電力な第２の表示モードの２つを備え、それぞれを切り換えて使用することができる。第１の表示モードに対して第２の表示モードでは、表示装置が有する信号制御回路のメモリコントローラによって、デジタルビデオ信号の下位ビットの信号の、メモリへの書き込みを無くす。また、メモリからの下位ビットのデジタル信号の読み出しを無くす。こうして、各駆動回路は、第１の表示モードにおけるデジタル映像信号に対して、情報量を少なくしたデジタル映像信号をソース信号線駆動回路に入力する。この動作に対応して、ディスプレイコントローラは、各駆動回路（ソース信号線駆動回路及びゲート信号線駆動回路）に入力するスタートパルス及びクロックパルスの周波数を小さく、駆動電圧を低く変化させる。これによって、表示に関与するサブフレーム期間の書き込み期間及び表示期間を長く設定することもでき、消費電力を少なくすることができる。
【手続補正７】
【補正対象書類名】明細書
【補正対象項目名】００９３
【補正方法】変更
【補正の内容】
【００９３】
また、駆動回路用電源制御回路３０６は、各駆動回路に入力される電源電圧を制御する。ここで、第２の表示モードが選択された場合、駆動回路用電源制御回路３０６に階調コントロール信号３４が入力されることで、出力されるソース信号線駆動回路用駆動電圧およびゲート信号線駆動回路用駆動電圧を変更する。第１の表示モードに比べ第２の表示モードでは各駆動回路のクロックパルスの周波数が小さいため、低い電源電圧で各駆動電圧を動作させることができる。
【手続補正８】
【補正対象書類名】明細書
【補正対象項目名】０１１８
【補正方法】変更
【補正の内容】
【０１１８】
上記動作を行う、表示装置のブロック図を図４に示す。表示装置は、信号制御回路１０１と、ディスプレイコントローラ１０２と、ディスプレイ１００とによって構成されている。
【手続補正９】
【補正対象書類名】明細書
【補正対象項目名】０１２１
【補正方法】変更
【補正の内容】
【０１２１】
一般に、ｎビットのデジタル映像信号を用いて階調を表現することが可能な表示装置において、メモリＡ１０５は、第１のビット〜第ｎのビットの情報をそれぞれ記憶するメモリ１０５＿１〜１０５＿ｎによって構成される。同様に、メモリＢ１０６も、第１のビット〜第ｎのビットの情報をそれぞれ記憶するメモリ１０６＿１〜１０６＿ｎによって構成される。これらの各ビットに対応するメモリは、それぞれ１ビット分の信号を、１画面を構成する画素数分記憶可能な容量を有している。
【手続補正１０】
【補正対象書類名】明細書
【補正対象項目名】０１２５
【補正方法】変更
【補正の内容】
【０１２５】
また、ＣＰＵ１０４からの信号は、基準発振回路２０３に入力される。基準発振回路２０３からの信号は、可変分周回路２０４に入力され、適当な周波数の信号に変換される。ここで、可変分周回路２０４には、第１の表示モードもしくは第２の表示モードのいずれかに応じた階調制限回路２０１からの信号が入力されている。この信号によって、可変分周回路２０４からの信号は、ｘカウンタ２０５ａ及びｘデコーダ２０６ａを介してメモリのｘアドレスを選択する。同様に、可変分周回路からの信号は、ｙカウンタ２０５ｂ及びｙデコーダ２０６ｂに入力され、メモリｙのアドレスを選択する。
【手続補正１１】
【補正対象書類名】明細書
【補正対象項目名】０１３１
【補正方法】変更
【補正の内容】
【０１３１】
また、水平クロック発生回路３０３には、ＣＰＵ１０４から水平周期を定める、水平周期信号３２が入力され、ソース信号線駆動回路用のクロックパルスＳ＿ＣＬＫ及び、スタートパルスＳ＿ＳＰが出力されている。同様に、垂直クロック発生回路３０４には、ＣＰＵ１０４から垂直周期を定める垂直周期信号３３が入力され、ゲート信号線駆動回路用のクロックパルスＧ＿ＣＬＫ及びスタートパルスＧ＿ＳＰが出力されている。
【手続補正１２】
【補正対象書類名】明細書
【補正対象項目名】０１３２
【補正方法】変更
【補正の内容】
【０１３２】
こうして、信号制御回路のメモリコントローラにおいて、メモリからの下位ビットの信号の読み出しを無くし、また、メモリからの信号の読み出しの周波数を小さくする。この動作に対応して、ディスプレイコントローラは、各駆動回路（ソース信号線駆動回路及びゲート信号線駆動回路）に入力するサンプリングパルスＳＰ及びクロックパルスＣＬＫの周波数を小さくし、画像を表現するサブフレーム期間の書き込み期間及び表示期間を長く設定することができる。
【手続補正１３】
【補正対象書類名】明細書
【補正対象項目名】０１４１
【補正方法】変更
【補正の内容】
【０１４１】
また、駆動回路用電源制御回路３０６は、各駆動回路に入力される電源電圧を制御する。ここで、駆動回路用電源制御回路３０６にも、階調コントロール信号３４が入力されることで、出力される駆動回路用駆動電圧を変更する。第１の表示モードに比べ第２の表示モードでは各駆動回路のクロックパルスの周波数が小さいため、低い電源電圧で各駆動電圧を動作させることができる。
【手続補正１４】
【補正対象書類名】明細書
【補正対象項目名】０１５１
【補正方法】変更
【補正の内容】
【０１５１】
ここでは、実施例１において説明した信号制御回路より出力されたデジタル映像信号ＶＤは、ｐ分割（ｐは自然数）されて入力される。つまり、ｐ本のソース信号線への出力に対応する信号が並列に入力される。サンプリングパルスが、バッファを介して、ｐ個のステージのＬＡＴ（Ａ）１５０２のクロックドインバータに同時に入力されると、ｐ分割された入力信号はｐ個のステージのＬＡＴ（Ａ）１５０２において、それぞれ同時にサンプリングされる。
【手続補正１５】
【補正対象書類名】明細書
【補正対象項目名】０１６９
【補正方法】変更
【補正の内容】
【０１６９】
また、走査方向切り換え回路は、スイッチ３６０５及びスイッチ３６０６によって構成され、シフトレジスタの操作方向を、図面向かって左右に切り換える働きをする。図１６では、走査方向切り換え信号Ｕ／ＤがＬｏの信号に対応する場合、シフトレジスタは、図面向かって左から右に順に、サンプリングパルスを出力する。一方、走査方向切り換え信号Ｕ／ＤがＨｉの信号に対応する場合、図面向かって右から左に順にサンプリングパルスを出力する。
【手続補正１６】
【補正対象書類名】明細書
【補正対象項目名】０１７４
【補正方法】変更
【補正の内容】
【０１７４】
こうして、第２の表示モードにおいて、ゲート信号線駆動回路のサンプリングの動作を少なくし、表示装置の消費電力を抑えることができる。